(57)【要約】【課題】テレビジョン受像機において、接続されている外部機器の正確なデバイス名を表示する。【解決手段】テレビジョン受像機は、外部機器にデバイス名とベンダーＩＤとの送信を要求し（＃１）、外部機器からデバイス名とベンダーＩＤとを受信する（＃２）。受信したベンダーＩＤがメモリに既に保持しているベンダーＩＤと同じであり（＃３でＹＥＳ）、かつ、受信したデバイス名がメモリに既に保持しているデバイス名と同じである場合には（＃４でＹＥＳ）、受信したデバイス名を表示する（＃５）。受信したデバイス名がメモリに既に保持しているデバイス名と同じでない場合には（＃４でＮＯ）、メモリに既に保持しているデバイス名を表示する（＃６）。受信したベンダーＩＤがメモリに既に保持しているベンダーＩＤと同じでない場合には（＃３でＮＯ）、受信したデバイス名を表示する（＃７）。【選択図】図２
2012156727.tif 000002
【特許請求の範囲】
【請求項１】
テレビジョン信号を受信して、該テレビジョン信号による画像を表示することができると共に、外部機器を接続して使用することができるテレビジョン受像機において、
接続されている外部機器のデバイス名を表示するデバイスリスト表示手段を備え、
前記デバイスリスト表示手段は、外部機器にデバイス名とベンダーＩＤとの送信を要求し、この要求に対して外部機器から受信したデバイス名とベンダーＩＤとに基いて、接続されている外部機器のデバイス名を表示する、
ことを特徴とするテレビジョン受像機。
【請求項２】
前記デバイスリスト表示手段によって過去に前記デバイス名を表示したときの外部機器のデバイス名及びベンダーＩＤを保持するメモリをさらに備え、
前記デバイスリスト表示手段は、
前記デバイス名とベンダーＩＤとの送信の要求に対して外部機器から受信したデバイス名とベンダーＩＤのうち、外部機器から受信したベンダーＩＤが前記メモリに既に保持しているベンダーＩＤと同じであり、かつ、外部機器から受信したデバイス名が前記メモリに既に保持しているデバイス名と同じである場合には、外部機器から受信したデバイス名を表示し、
前記デバイス名とベンダーＩＤとの送信の要求に対して外部機器から受信したデバイス名とベンダーＩＤのうち、外部機器から受信したベンダーＩＤが前記メモリに既に保持しているベンダーＩＤと同じであり、かつ、外部機器から受信したデバイス名が前記メモリに既に保持しているデバイス名と同じでない場合には、前記メモリに既に保持しているデバイス名を表示し、
前記デバイス名とベンダーＩＤとの送信の要求に対して外部機器から受信したデバイス名とベンダーＩＤのうち、外部機器から受信したベンダーＩＤが前記メモリに既に保持しているベンダーＩＤと同じでない場合には、外部機器から受信したデバイス名を表示する、
ことを特徴とする請求項１に記載のテレビジョン受像機。
【請求項３】
前記デバイスリスト表示手段は、
ＨＤＭＩ−ＣＥＣ機能のデバイス・ＯＳＤ・ネーム・トランスファー機能を利用して、外部機器にデバイス名とベンダーＩＤとの送信を要求する、
ことを特徴とする請求項１に記載のテレビジョン受像機。
【発明の詳細な説明】
【技術分野】
【０００１】
本発明は、テレビジョン放送局から配信されるテレビジョン信号を受信して、テレビジョン信号による画像を表示すると共に、テレビジョン信号による音声を出力するテレビジョン受像機に関するものである。
【背景技術】
【０００２】
従来から、テレビジョン受像機において、ＨＤＭＩ−ＣＥＣ（High Definition Multimedia Interface-Consumer Electronics Control）に対応したものがある。ＨＤＭＩ−ＣＥＣに対応したテレビジョン受像機は、ＨＤＭＩ−ＣＥＣに対応したＢＤプレイヤ、ＢＤレコーダ、アンプなどの外部機器を接続して使用できるようになっている。
【０００３】
このようなテレビジョン受像機の中には、接続されている外部機器のデバイス名を表示する機能を備えたものがある。このデバイス名の表示は、テレビジョン受像機が外部機器にデバイス名の送信を要求し、この要求に対して外部機器がテレビジョン受像機にデバイス名を送信し、テレビジョン受像機が外部機器から受信したデバイス名を表示することにより、行うようになっている。
【０００４】
一方、接続された外部機器を特定可能とする表示用情報をユーザが任意に設定できるようにした表示装置が知られている（例えば特許文献１参照）。また、同一の機器識別名称がある場合に、機器識別名称を変更するようにした情報処理装置が知られている（例えば特許文献２参照）。また、入力切替ＯＳＤメニューを表示しているときに、ユーザにより入力切替操作がなされると、入力切替ＯＳＤメニューで表示されている外部機器の機器名を、ＣＥＣコマンドで指定された外部機器の機器名に変更するようにした表示装置が知られている（例えば特許文献３参照）。
【先行技術文献】
【特許文献】
【０００５】
【特許文献１】特開２００８−７８８６７号公報
【特許文献２】特開２００９−７７１０９号公報
【特許文献３】特開２００８−３０１３３９号公報
【発明の概要】
【発明が解決しようとする課題】
【０００６】
ところで、外部機器からテレビジョン受像機にデバイス名を送信するとき、ソフトバグなどによって、外部機器からテレビジョン受像機に正確なデバイス名が送信されない（誤りのあるデバイス名が送信される）ことがある。このような場合、従来のテレビジョン受像機では、外部機器から送信されるデバイス名をそのまま表示してしまうことになり、外部機器の正確なデバイス名を表示することができない。なお、上述した特許文献１乃至特許文献３に開示の内容を適用したとしても、上記の問題を解決することはできない。
【０００７】
本発明は、上記課題を解決するためになされたものであり、接続されている外部機器の正確なデバイス名を表示することができるテレビジョン受像機を提供することを目的とする。
【課題を解決するための手段】
【０００８】
上記目的を達成するために請求項１の発明は、テレビジョン信号を受信して、該テレビジョン信号による画像を表示することができると共に、外部機器を接続して使用することができるテレビジョン受像機において、接続されている外部機器のデバイス名を表示するデバイスリスト表示手段を備え、デバイスリスト表示手段は、外部機器にデバイス名とベンダーＩＤとの送信を要求し、この要求に対して外部機器から受信したデバイス名とベンダーＩＤとに基いて、接続されている外部機器のデバイス名を表示するものである。
【０００９】
請求項２の発明は、請求項１に記載のテレビジョン受像機において、デバイスリスト表示手段によって過去にデバイス名を表示したときの外部機器のデバイス名及びベンダーＩＤを保持するメモリをさらに備え、デバイスリスト表示手段は、デバイス名とベンダーＩＤとの送信の要求に対して外部機器から受信したデバイス名とベンダーＩＤのうち、外部機器から受信したベンダーＩＤがメモリに既に保持しているベンダーＩＤと同じであり、かつ、外部機器から受信したデバイス名がメモリに既に保持しているデバイス名と同じである場合には、外部機器から受信したデバイス名を表示し、デバイス名とベンダーＩＤとの送信の要求に対して外部機器から受信したデバイス名とベンダーＩＤのうち、外部機器から受信したベンダーＩＤがメモリに既に保持しているベンダーＩＤと同じであり、かつ、外部機器から受信したデバイス名がメモリに既に保持しているデバイス名と同じでない場合には、メモリに既に保持しているデバイス名を表示し、デバイス名とベンダーＩＤとの送信の要求に対して外部機器から受信したデバイス名とベンダーＩＤのうち、外部機器から受信したベンダーＩＤがメモリに既に保持しているベンダーＩＤと同じでない場合には、外部機器から受信したデバイス名を表示するものである。
【００１０】
請求項３の発明は、請求項１に記載のテレビジョン受像機において、デバイスリスト表示手段は、ＨＤＭＩ−ＣＥＣ機能のデバイス・ＯＳＤ・ネーム・トランスファー機能を利用して、外部機器にデバイス名とベンダーＩＤとの送信を要求するものである。
【発明の効果】
【００１１】
請求項１乃至請求項３の発明によれば、外部機器から正確なデバイス名が送信されない（誤りのあるデバイス名が送信される）場合でも、外部機器の正確なデバイス名を表示することができる。
【図面の簡単な説明】
【００１２】
【図１】本発明の一実施形態に係るテレビジョン受像機の概略構成を示す電気的ブロック構成図。
【図２】同テレビジョン受像機のデバイスリストを表示するときに各外部機器のデバイス名を表示するときの動作を示すフローチャート。
【発明を実施するための形態】
【００１３】
以下、本発明を具体化した実施形態によるテレビジョン受像機について図面を参照して説明する。図１は、本実施形態によるテレビジョン受像機の構成を示す。テレビジョン受像機１は、テレビジョン放送局から配信されるテレビジョン信号を受信して、テレビジョン信号による画像を表示すると共に、テレビジョン信号による音声を出力する機器である。
【００１４】
このテレビジョン受像機１は、ＨＤＭＩ−ＣＥＣ（High Definition Multimedia Interface-Consumer Electronics Control）に対応しており、外部機器として、ＨＤＭＩ−ＣＥＣに対応した機器を接続して使用することができるようになっている。また、このテレビジョン受像機１は、接続されている外部機器のデバイス名を表示するデバイスリスト表示機能を備えている。
【００１５】
テレビジョン受像機１は、テレビジョン受信部１１と、ＨＤＭＩ入出力ポート１２ａ、１２ｂと、ＨＤＭＩ送受信機１３と、ＬＶＤＳトランスミッタ１４と、ディスプレイ１５と、スピーカ１６と、リモコン１７と、リモコン受信部１８と、メモリ１９と、テレビジョン受像機１の動作を制御するマイコン２０等を備える。
【００１６】
テレビジョン受信部１１は、マイコン２０による制御のもと、電波の形態で放送されているテレビジョン信号を不図示のアンテナを介して受信し、そのテレビジョン信号による画像信号及び音声信号を生成する。
【００１７】
ＨＤＭＩ入出力ポート１２ａ、１２ｂには、各々、ＨＤＭＩケーブルが接続される。ＨＤＭＩ入出力ポート１２ａ、１２ｂに接続されたＨＤＭＩケーブルには、外部機器が接続される。すなわち、ＨＤＭＩ入出力ポート１２ａ、１２ｂには、各々、ＨＤＭＩケーブルを介して外部機器が接続される。
【００１８】
ＨＤＭＩ送受信機１３は、マイコン２０による制御のもと、ＨＤＭＩケーブルからＨＤＭＩ入出力ポート１２ａ、１２ｂに入力された画像信号、音声信号、及びＣＥＣメッセージを受信する。すなわち、ＨＤＭＩ送受信機１３は、マイコン２０による制御のもと、外部機器からＨＤＭＩケーブル及びＨＤＭＩ入出力ポート１２ａ、１２ｂを介して画像信号、音声信号、及びＣＥＣメッセージを受信する。
【００１９】
また、ＨＤＭＩ送受信機１３は、マイコン２０による制御のもと、ＣＥＣメッセージをＨＤＭＩ入出力ポート１２ａ、１２ｂに送信する。ＨＤＭＩ送受信機１３からＨＤＭＩ入出力ポート１２ａ、１２ｂに送信されたＣＥＣメッセージは、ＨＤＭＩ入出力ポート１２ａ、１２ｂからＨＤＭＩケーブルに出力される。すなわち、ＨＤＭＩ送受信機１３は、マイコン２０による制御のもと、ＣＥＣメッセージをＨＤＭＩ入出力ポート１２ａ、１２ｂ及びＨＤＭＩケーブルを介して外部機器に送信する。
【００２０】
ＬＶＤＳトランスミッタ１４は、マイコン２０から供給された画像信号をＬＶＤＳ（Low Voltage Differential Signaling）によってディスプレイ１５に伝送する。ディスプレイ１５は、ＬＶＤＳトランスミッタ１４から伝送された画像信号による画像を表示する。スピーカ１６は、マイコン２０から供給された音声信号による音声を出力する。
【００２１】
リモコン１７は、テレビジョン受像機１の各種動作を行うためにユーザに操作され、その操作内容を示す操作信号を赤外線によって送信する。リモコン受信部１８は、リモコン１７から送信される操作信号を受信する。
【００２２】
メモリ１９は、マイコン２０による制御のもと、外部機器が接続されているアドレスを保持する。また、メモリ１９は、マイコン２０による制御のもと、外部機器のデバイス名及びベンダーＩＤを保持する。
【００２３】
マイコン２０は、記憶しているファームウェアに基いて、また、リモコン受信部１８により受信した操作信号に基いて（すなわち、ユーザによるリモコン１７の操作に基いて）、テレビジョン受像機１の各種動作を制御する。
【００２４】
ここで、テレビジョン受像機１への外部機器の接続について説明する。上述のように、ＨＤＭＩ入出力ポート１２ａ、１２ｂは、各々、ＨＤＭＩケーブルを介して外部機器が接続されるようになっている。外部機器は、ＨＤＭＩケーブルを介してＨＤＭＩ入出力ポート１２ａ、１２ｂに接続されることにより、テレビジョン受像機１に接続される。すなわち、テレビジョン受像機１には、２台の外部機器を直接的に接続することができる。
【００２５】
また、外部機器がＨＤＭＩ入出力ポートを備えている場合には、その外部機器に（ＨＤＭＩケーブルを介して）別の外部機器を接続することができる。各外部機器は、ＨＤＭＩ−ＣＥＣに対応しており、他から受信した画像信号、音声信号、ＣＥＣメッセージを他に転送する転送機能を有している。すなわち、テレビジョン受像機１には、テレビジョン受像機１に直接的に接続される外部機器を介して、別の外部機器を間接的に接続することができ、さらには、この別の外部機器を介して、さらに別の外部機器を間接的に接続することができる。
【００２６】
つまり、テレビジョン受像機１には、２台までの外部機器を直接的に接続（他の外部機器を介することなく接続）することができると共に、２台以上の外部機器を間接的に接続（他の外部機器を介して接続）することができるようになっている。このようにして、テレビジョン受像機１には、複数台（合計１５台まで）の外部機器を接続することができるようになっている。
【００２７】
マイコン２０は、テレビジョン受信部１１によりテレビジョン信号を受信することによって、テレビジョン放送局からテレビジョン信号を受信する。また、マイコン２０は、ＨＤＭＩ送受信機１３により画像信号、音声信号、ＣＥＣメッセージを受信することによって、外部機器から画像信号、音声信号、ＣＥＣメッセージを受信する。また、マイコン２０は、ＨＤＭＩ送受信機１３によりＣＥＣメッセージを送信することによって、外部機器にＣＥＣメッセージを送信する。
【００２８】
また、マイコン２０は、テレビジョン受信部１１により生成された画像信号をＬＶＤＳトランスミッタ１４に供給することによって、テレビジョン放送局から受信したテレビジョン信号による画像をディスプレイ１５に表示し、テレビジョン受信部１１により生成された音声信号をスピーカ１６に供給することによって、テレビジョン放送局から受信したテレビジョン信号による音声をスピーカ１６から出力する。
【００２９】
また、マイコン２０は、ＨＤＭＩ送受信機１３により受信した画像信号をＬＶＤＳトランスミッタ１４に供給することによって、外部機器から受信した画像信号による画像をディスプレイ１５に表示し、ＨＤＭＩ送受信機１３により受信した音声信号をスピーカ１６に供給することによって、外部機器から受信した音声信号による音声をスピーカ１６から出力する。
【００３０】
また、マイコン２０は、テレビジョン受信部１１により生成された画像信号及びＨＤＭＩ送受信機１３により受信した画像信号を加工処理し、その加工処理後の画像信号をＬＶＤＳトランスミッタ１４に供給することによって、各種画像をディスプレイ１５に（テレビジョン放送局から受信したテレビジョン信号による画像上、及び外部機器から受信した画像信号による画像上に）ＯＳＤ表示する。
【００３１】
また、マイコン２０は、外部機器接続状況（どのアドレスに外部機器が接続されているか）を検出する。この外部機器接続状況の検出は、テレビジョン受像機１を起動したときや、テレビジョン受像機１に外部機器を接続したとき、テレビジョン受像機１から既に接続されている外部機器を取外したときなどに行われ、テレビジョン受像機１と外部機器との間で、接続を確認するための各種のＣＥＣメッセージを送受信することにより行われる。そして、マイコン２０は、検出した外部機器接続状況をメモリ１９に記憶する。すなわち、マイコン２０は、この外部機器接続状況の検出の結果、外部機器が接続されていることを確認したアドレスをメモリ１９に記憶する。従って、メモリ１９は、外部機器が接続されているアドレスを保持し、以後、マイコン２０は、メモリ１９に保持されているアドレスに外部機器が接続されていると判断する。
【００３２】
また、マイコン２０は、デバイスリストを表示する。デバイスリストは、テレビジョン受像機１に接続されている外部機器のデバイス名（ベンダーが独自に付けた外部機器の名称）を一覧形式で並べたものである。すなわち、マイコン２０は、デバイスリストとして、テレビジョン受像機１に接続されている全ての外部機器のデバイス名を一覧形式で表示する。マイコン２０は、デバイスリストをＯＳＤ表示によってディスプレイ１５に表示する。マイコン２０は、テレビジョン受像機１を起動したとき、及びユーザによるデバイスリスト表示操作（リモコン１７での操作）がなされたときに、デバイスリストを表示する。マイコン２０によって、デバイスリスト表示手段が構成されている。
【００３３】
マイコン２０は、デバイスリストを表示するとき、テレビジョン受像機１に接続されている各外部機器に（上記の外部機器接続状況の検出により外部機器が接続されていることを確認しているアドレスであって、メモリ１９に保持している各アドレスに）デバイス名とベンダーＩＤとの送信を要求し、この要求に対して各外部機器から受信したデバイス名とベンダーＩＤ、及びメモリ１９に保持している各外部機器のデバイス名とベンダーＩＤとに基いて、テレビジョン受像機１に接続されている各外部機器のデバイス名を表示する。
【００３４】
なお、マイコン２０は、各アドレスについて、そのアドレスから（そのアドレスに接続されている外部機器から）初めてデバイス名とベンダーＩＤとを受信したときには、そのデバイス名を表示する。そして、このとき、マイコン２０は、そのデバイス名及びベンダーＩＤは正しいものであると判断して、そのデバイス名及びベンダーＩＤをそのアドレスと対応付けてメモリ１９に記憶する。従って、メモリ１９は、各アドレス毎に、過去にデバイス名を表示したときのデバイス名及びベンダーＩＤ（マイコン２０が正しいものであると判断したデバイス名及びベンダーＩＤ）をアドレスと対応付けて保持することになる。
【００３５】
図２は、テレビジョン受像機１のデバイスリストを表示するときに各外部機器のデバイス名を表示するときの動作フローチャートを示す。この動作は、デバイスリストを表示するときに、テレビジョン受像機１に接続されている個々の外部機器について行う動作である。
【００３６】
まず、マイコン２０は、外部機器に（外部機器が接続されていることを確認しているアドレスに）デバイス名とベンダーＩＤとの送信を要求し（＃１）、外部機器からデバイス名とベンダーＩＤとを受信する（＃２）。このとき、マイコン２０は、ＨＤＭＩ−ＣＥＣ機能のデバイス・ＯＳＤ・ネーム・トランスファー機能を利用して、外部機器にデバイス名とベンダーＩＤとの送信を要求する。すなわち、マイコン２０は、外部機器にデバイス名とベンダーＩＤとの送信を要求する旨のＣＥＣメッセージを送信する。そして、マイコン２０は、この要求（このＣＥＣメッセージ）に対して各外部機器から送信されるデバイス名とベンダーＩＤとを受信する。
【００３７】
ここで、＃２で外部機器から受信した（＃１の要求に対して外部機器から受信した）デバイス名とベンダーＩＤのうち、外部機器から受信したベンダーＩＤがメモリ１９に既に保持している（＃１の要求を送信したアドレスに対応付けて保持している）ベンダーＩＤと同じであり（＃３でＹＥＳ）、かつ、外部機器から受信したデバイス名がメモリ１９に既に保持している（＃１の要求を送信したアドレスに対応付けて保持している）デバイス名と同じである場合には（＃４でＹＥＳ）、マイコン２０は、外部機器から受信したデバイス名を表示（デバイスリストに表示）する（＃５）。
【００３８】
一方、＃２で外部機器から受信したデバイス名とベンダーＩＤのうち、外部機器から受信したベンダーＩＤがメモリ１９に既に保持しているベンダーＩＤと同じであるにも拘らず（＃３でＹＥＳ）、外部機器から受信したデバイス名がメモリ１９に既に保持しているデバイス名と同じでない場合には（＃４でＮＯ）、マイコン２０は、外部機器から正確なデバイス名が送信されなかった（誤りのあるデバイス名が送信された）と判断して、メモリ１９に既に保持しているデバイス名を表示（デバイスリストに表示）する（＃６）。
【００３９】
また、＃２で外部機器から受信したデバイス名とベンダーＩＤのうち、外部機器から受信したベンダーＩＤがメモリ１９に既に保持しているベンダーＩＤと同じでない場合には（＃３でＮＯ）、マイコン２０は、外部機器から受信したデバイス名を表示（デバイスリストに表示）する（＃７）。
【００４０】
マイコン２０は、この動作（＃１〜＃７の動作）を、テレビジョン受像機１に接続されている各外部機器に対して行う。これにより、テレビジョン受像機１に接続されている全ての外部機器のデバイス名が、デバイスリストとして表示される。
【００４１】
このような構成のテレビジョン受像機１によれば、外部機器から正確なデバイス名が送信されない（誤りのあるデバイス名が送信される）場合でも、外部機器の正確なデバイス名を表示することができる。
【００４２】
なお、本発明は、上記実施形態の構成に限られず、種々の変形が可能である。例えば、上記＃３において、外部機器から受信したベンダーＩＤがメモリに既に保持しているベンダーＩＤと同じでない場合、メモリに既に保持しているデバイス名を表示するようにしてもよい。また、上記＃３において、外部機器から受信したベンダーＩＤがメモリに既に保持しているベンダーＩＤと同じでない場合、受信したデバイス名及びベンダーＩＤの信号を解析して、受信したデバイス名及びベンダーＩＤの正確性を判断し、そして、受信したデバイス名及びベンダーＩＤが正確であると判断できれば、受信したデバイス名を表示し、受信したデバイス名及びベンダーＩＤが正確であると判断できなければ（例えば、受信したデバイス名がヌル・コードのみで構成されていると判断された場合は）、メモリに既に保持しているデバイス名を表示するようにしてもよい。また、上記＃４において、外部機器から受信したデバイス名がメモリに既に保持しているデバイス名と同じでない場合、受信したデバイス名の信号を解析して、受信したデバイス名の正確性を判断し、そして、受信したデバイス名が正確であると判断できれば、受信したデバイス名を表示し、受信したデバイス名が正確であると判断できなければ、メモリに既に保持しているデバイス名を表示するようにしてもよい。
【符号の説明】
【００４３】
１    テレビジョン受像機
１１    テレビジョン受信部
１２ａ、１２ｂ    ＨＤＭＩ入出力ポート
１３    ＨＤＭＩ送受信機
１４    ＬＶＤＳトランスミッタ
１５    ディスプレイ
１６    スピーカ
１７    リモコン
１８    リモコン受信部
１９    メモリ
２０    マイコン
【図１】
2012156727.tif 000003
【図２】
2012156727.tif 000004